(57)【要約】【課題】簡便に設置でき、かつ強風を受けても容易に倒れたり吹き飛ばされたりすることがなく、強風が吹く地域や高層のマンションのベランダ等にも安心して設置できる緑化装置を提供すること。【解決手段】適宜間隔を空けて立設された２本の支柱と、該支柱間に差し渡された網状体とを備え、前記支柱は、いずれも伸縮自在となされると共に、上下方向に相対向する二つの面の間にその上下端を突っ張らせるようにして固定可能となされ、前記網状体は、前記２本の支柱間に差し渡されているようにした。【選択図】図１
2012210181.tif 000002
【特許請求の範囲】
【請求項１】
適宜間隔を空けて立設された２本の支柱と、該支柱間に差し渡された網状体とを備え、
前記支柱は、いずれも伸縮自在となされると共に、上下方向に相対向する二つの面の間にその上下端を突っ張らせるようにして固定可能となされ、
前記網状体は、前記２本の支柱間に差し渡されていることを特徴とする緑化装置。
【請求項２】
２本の支柱間に差し渡される水平杆を更に備え、
該水平杆から吊下げるようにして網状体が２本の支柱間に差し渡されるようになされ、
かつ、網状体は、前記水平杆に巻き付けることが可能となされていることを特徴とする請求項１に記載の緑化装置。
【請求項３】
網状体は、収納時においては支柱に巻き付けられるようになされ、使用時には網状体を引き出すことによって支柱間に差し渡すことができるようになされたことを特徴とする請求項１に記載の緑化装置。
【発明の詳細な説明】
【技術分野】
【０００１】
本発明は、緑化装置に関するものであり、より詳しくは、マンションのベランダなどに設置され、壁面または窓の前面につる植物などを生育させて緑化及び室内の温度上昇抑制を図るための緑化装置に関するものである。
【背景技術】
【０００２】
近年、地球の温暖化が進むにつれ、夏場の気温の上昇によるヒートアイランド現象や室内の極端な温度上昇等が生じている。室内の温度上昇に対しては、エアコン他の空調設備により温度を下げることも可能であり多く利用されているが、そのような設備を利用すると、エネルギーの問題や設備利用により排出される熱エネルギーによる外気温の上昇など、様々な弊害が生じている。
【０００３】
そこで、上記問題の解決方法の一つとして、広く「緑のカーテン」と呼ばれる活動が広がっている。これは、例えば蔦やゴーヤ、ヘチマ、アサガオなどのつる植物を建物の壁面や屋上に這わせるようにして生育させ、自然を利用して室内の温度上昇抑制を図るものである。
【０００４】
そして、そのような「緑のカーテン」を簡便に創出できるようにするために、格子状の板或いは網状体をフレームに取り付けて床面に自立させ、又は壁面に立て掛けるようにしたものがある（下記特許文献１及び２）。これら従来の緑化装置によれば、確かに簡単に緑のカーテンを創出することができる。
【先行技術文献】
【特許文献】
【０００５】
【特許文献１】特開２００８−１２５３８９号公報
【特許文献２】登録実用新案第３１４９８５７号公報
【発明の概要】
【発明が解決しようとする課題】
【０００６】
しかしながら、例えば高層のマンションなどでは、ベランダに強風が吹きつけることが多々ある。そのような場合、上記従来の緑化装置では、容易に倒れたり吹き飛ばされたりする恐れが多分にある。また、万が一、緑化装置が吹き飛ばされて高層階から落ちてしまうようなことがあると、大事故につながる危険性がある。したがって、上記従来の緑化装置では、安心して設置することができない。
【０００７】
本発明は、上記のような問題を克服するためになされたものであり、簡便に設置でき、かつ強風を受けても容易に倒れたり吹き飛ばされたりすることがなく、強風が吹く地域や高層のマンションのベランダ等にも安心して設置できる緑化装置を提供することを目的とする。
【課題を解決するための手段】
【０００８】
上記の課題を解決するため、本発明に係る緑化装置は、適宜間隔を空けて立設された２本の支柱と、該支柱間に差し渡された網状体とを備え、前記支柱は、いずれも伸縮自在となされると共に、上下方向に相対向する二つの面の間にその上下端を突っ張らせるようにして固定可能となされ、前記網状体は、前記２本の支柱間に差し渡されていることを特徴とする。
【０００９】
本発明に係る緑化装置によれば、２本の支柱が上下に相対向する二つの面、すなわち例えばベランダの床面と天井面（庇部の裏面）との間に突っ張らせるようにして固定されて立設されるので、強固にかつ安定的に設置される。それゆえ、強風によっても容易に倒れたり吹き飛ばされたりすることもない。
【００１０】
また、本発明に係る緑化装置において、２本の支柱間に差し渡される水平杆を更に備え、該水平杆から吊下げるようにして網状体が２本の支柱間に差し渡されるようになされ、かつ、網状体は、前記水平杆に巻き付けることが可能となされているようにすることもできる。このようにすれば、簡単かつコンパクトに網状体を収納することができる。
【００１１】
さらに、本発明に係る緑化装置において、網状体は、収納時においては支柱に巻き付けられるようになされ、使用時には網状体を引き出すことによって支柱間に差し渡すことができるようにしてもよい。このようにすれば、不使用時には、網状態をコンパクトに収納できる。尚、このとき網状体は、支柱のいずれか１本に巻き付けられるようにしてもよいし、又は２枚の網状体を利用して２本の支柱それぞれに巻き付けられるようにしてもよい。
【発明の効果】
【００１２】
以上のとおり、本発明に係る緑化装置によれば、２本の支柱をそれぞれ上下方向に相対向する面、すなわち例えばベランダの床面と天井面（庇部の裏面）との間に突っ張らせるようにして立設し、当該支柱間に網状体を差し渡すようにするだけで簡便に設置でき、しかも、上述の通り支柱は上下方向に相対向する面間に突っ張らせるようにして固定されているので、強風によっても容易に倒れたり吹き飛ばされたりすることもない。
【図面の簡単な説明】
【００１３】
【図１】本発明に係る緑化装置の一実施形態を示す図であり、網状体を収納した状態を示した説明図である。
【図２】図１に示した緑化装置の使用状態を示す図であり、網状体の下にプランターを設置し、植物を生育させている様子を示す図である。
【図３】本発明に係る緑化装置の別の一実施形態を示す図であり、網状体を左右２分割とし、左右それぞれの支柱に該網状態を巻き付けた状態を示す図である。
【図４】図３に示した緑化装置の使用状態を示す図である。
【図５】図３に示した緑化装置の変形形態を示す図である。
【発明を実施するための形態】
【００１４】
以下、本発明を実施するための形態を、図面に基づいて詳細に説明する。
【００１５】
（実施例１）図１及び図２は、本発明に係る緑化装置１の一実施形態におけるベランダへの設置状態を示す図である。図２に示すように、この実施形態においては、所定の間隔を空けて立設された２本の支柱２の上部間には水平杆３が差し渡され、当該水平杆３から網状体４が吊り下げられている。この網状体４の下方にプランターＰなどを設置し、このプランターにＰ植えた植物Ｖを網状体４上を這うように生長させて所謂「緑のカーテン」を生育できるようにするとともに、植物を植えないときには、網状体４が水平杆３に巻き上げられて収納されるようになされたものである。以上が、図１〜３に示した実施形態における緑化装置１の基本的な構成である。
【００１６】
この実施形態の緑化装置１をより詳細に説明すると、２本の支柱２は、それぞれ管状の外パイプ２１と、外パイプ２１の内径よりも僅かに小さい外径を有し前記外パイプ２１内に嵌挿される同じく管状の内パイプ２２と、任意の高さ位置で内パイプ２２を外パイプ２１に対して固定可能とすることにより支柱２の長さを任意に調整できるようにするためのロック部材２３とを備えている。また、支柱２の上下それぞれの端部には、端部キャップ２４、２５が被せられている。これにより、支柱２は、その上下端部がそれぞれ端部キャップ２４、２５を介してベランダの天井面Ｃと床面Ｆとを押圧するように所定の長さに調整され、天井面Ｃと床面Ｆとの間に突っ張らせた状態で固定されることにより設置される。
【００１７】
水平杆３は、円筒状の棒状体であり、図２に示すように、水平杆保持部５を介して支柱２間に差し渡されて取り付けられている。水平杆３は、その長手方向の中心軸を中心として水平杆保持部５に対して回動可能であり、水平杆保持部本体５１の左右いずれか一方又は双方に設けられたハンドル５２に接続され（図１〜２に示した実施例においては一方のみ）、当該ハンドル５２を回すことによって、水平杆３も回動するようになされている。また、水平杆３には網状体４の上端縁が固定されており、当該網状体４を使用しないときは、ハンドル５２を回して図１に示すように網状体４を巻き上げた状態とできるものである。そして、網状体４を使用するときは、ハンドル５２を回して、或いは網状体４の下端縁を引っ張ることにより、網状体４を引き出せばよいものである。
【００１８】
尚、この網状体４は、ポリエチレン、ナイロン等の合成樹脂材料により作成された線材を格子状に編んで作成されたものであるが、これに限られるものではなく、天然の繊維により編まれたものや、樹脂被覆した金属材料により作成されたものであってもよい。
【００１９】
以上のように構成された緑化装置は、例えば図２に示したように使用される。すなわち、床面に設置したプランターＰに植物Ｖを植え、当該植物を網状体４に沿って生長させ、これにより緑のカーテンを形成するようにできる。尚、植える植物の種類は特に限定されるものではないが、網状体４に沿って広がるように伸びて緑のカーテンを形成しやすい蔓性の植物（例えば、ゴーヤ、キュウリ、ヘチマ、あさがおなど）を植えるのが好ましい。
【００２０】
（実施例２）図３及び図４は、本発明に係る緑化装置の別の一実施形態を示す図である。この実施例２は、上述した実施例１と共通する構成も含んでいるため、相違する点のみ説明することとする。
【００２１】
図３及び図４に示すように、実施例２の緑化装置においても、実施例１と同様の支柱２が適宜間隔を空けて立設される。実施例２の緑化装置も、支柱２間に網状体４を広げてこれに植物を生育させるものであるが（図４参照）、実施例２においては、網状体４を左右２枚の網状体に分割して第一網状体４１と第二網状体４２との２枚の網状体により構成されるようにしている。
【００２２】
第一網状体４１及び第二網状体４２は、一端部が支柱２に取り付けられて当該支柱２に巻き付けることが可能となされ、網状体４を使用しないときには、図３のようにして、それぞれ左右の支柱２に巻き取られるように構成されている。また、第一網状体４１及び第二網状体４２の支柱２に取り付けられていない他端部には、その側端縁に沿って棒状体により形成される連結支柱４１１、４２１が設けられており、当該連結支柱４１１、４２１同士を連結することにより、支柱２間に網状体４を広げ、これにより網状体４に植物を生育させることができるようになされている。
【００２３】
また、当該連結支柱４１１、４２１の下端部にはキャスター４１２、４２２が設けられ、また連結支柱４１１、４２１の上端部の近傍には、それぞれ他の連結支柱と連結するための連結部４１３、４２３が設けられている。この実施例においては、連結部４１３、４２３はマグネットを備えるようにしており、２つの連結部を近接させると磁力により互いに引き合い、連結するようになされている。
【００２４】
このようにして形成された網状体４に、図４に示すようにハンギングバスケットを吊るして植物を植えることもできるし、図示しないが上述した実施例１の場合と同様、床面にプランターＰを置いて植物Ｖを植え、網状体４に沿って植物が這うように生長させて緑のカーテンを形成させることもできる。
【００２５】
（実施例３）図５に示した実施例３は、上述した実施例２の変形例であり、実施例２との相違点のみを説明すると、この実施形態においては、２本の支柱２の上部間に水平バー７が差し渡されて取り付けられている。水平バー７は、支柱２と同様に外パイプ７１と内パイプ７２とロック機構７３とを備えることによって伸縮自在となされており、これにより支柱２間の距離を調節可能としている。尚、水平バー７は、図５に示した実施形態においては、支柱２に直接接続するようにしているが、継手などの接続部材を介して接続するようにしてもよい。
【００２６】
また、連結支柱の上端部及び網状体４１、４２の上端縁には、リング部材８が取り付けられ、当該リング部材８のリング内に水平バー７が挿通されている。このリング部材８が設けられることによって、網状体４１、４２に掛かる植物の重さ等の荷重にかかわらず、網状体４１、４２が弛むことなく、好適に使用できるものとなる。
【００２７】
以上のとおり、いくつかの具体的な実施形態を示して本発明に係る緑化装置を説明してきたが、本発明は上述の実施形態に限られるものではなく、本発明の趣旨を逸脱しない範囲で様々に形態等を変更することが可能なものである。
【符号の説明】
【００２８】
１    緑化装置
２    支柱
３    水平杆
４    網状体
４１  第一網状体
４２  第二網状体
５    水平杆保持部
７    水平バー
Ｐ    プランター
Ｖ    植物
【図１】
2012210181.tif 000003
【図２】
2012210181.tif 000004
【図３】
2012210181.tif 000005
【図４】
2012210181.tif 000006
【図５】
2012210181.tif 000007